(57)【要約】【課題】  携帯用端末機の多方向スライド入力装置を提供すること。【解決手段】  本発明は、端末機に装着され、長方形の操作面を具備し、操作面の縁部には壁体が形成され、その内側に少なくとも四つ以上の固定接点が備えられるベースと、前記操作面に取り付けられ、水平方向に移動するように上側及び下側の壁体にＸ軸スライド部が突出形成され、前記壁体の左・右側には壁体内側にＹ軸移動ガイド部が突出形成されるＸ軸移動ステージと、少なくとも一つ以上のキー入力手段が取り付けられる取付面を備え、前記取付面の縁部には壁体が形成され、前記Ｙ軸移動ガイド部に対応して結合され、空間孔内で垂直方向に移動するように壁体にはＹ軸スライド部が形成され、前記壁体の外側にはキー入力手段につながっている複数の可動接点が備えられた可動操作部が離間して配置されるＹ軸移動ステージと、前記Ｙ軸移動ステージの取付面に取り付けられ、キーパッド接点が備えられた回路基板とを含む。【選択図】図２
2011517833.tif 000002
【特許請求の範囲】
【請求項１】
文字・数字及び各種機能を操作するためのキー入力手段が備えられた携帯用端末機において、
前記端末機に装着され、長方形の操作面を具備し、操作面の縁部には壁体が形成され、その内側に少なくとも四つ以上の固定接点が備えられるベースと、
前記操作面に取り付けられ、水平方向に移動するように上側及び下側の壁体にＸ軸スライド部が突出形成され、前記壁体の左・右側には壁体内側にＹ軸移動ガイド部が突出形成されるＸ軸移動ステージと、
少なくとも一つ以上のキー入力手段が取り付けられる取付面を備え、前記取付面の縁部には壁体が形成され、前記Ｙ軸移動ガイド部に対応して組み合わされ、空間孔内で垂直方向に移動するように壁体にはＹ軸スライド部が形成され、前記壁体の外側にはキー入力手段につながっている複数の可動接点が備えられた可動操作部が離間して配置されるＹ軸移動ステージと、
前記Ｙ軸移動ステージの取付面に取り付けられ、キーパッド接点が備えられた回路基板とを含む、携帯用端末機の多方向スライド入力装置。
【請求項２】
前記ベースは、壁体の内側に固定接点が位置するように少なくとも四つ以上の接点固定片が形成され、全体からみて八角形の形状からなっている、請求項１に記載の携帯用端末機の多方向スライド入力装置。
【請求項３】
前記Ｙ軸移動ステージの壁体には、可動操作部につながるように駆動部が備えられる、請求項１に記載の携帯用端末機の多方向スライド入力装置。
【請求項４】
前記Ｘ軸移動ステージの壁体には、前記駆動部が挿入され、摩擦なしに操作されるように駆動部孔が形成されている、請求項３に記載の携帯用端末機の多方向スライド入力装置。
【請求項５】
前記Ｙ軸移動ステージには、キー入力手段の配線の出口が形成されている、請求項１に記載の携帯用端末機の多方向スライド入力装置。
【請求項６】
前記可動操作部は、ベースの操作面から所定の高さで離隔し、摩擦なしにスライド移動する、請求項１に記載の携帯用端末機の多方向スライド入力装置。
【請求項７】
前記可動操作部の外側面には、可動接点を収納できるように可動接点孔が形成されている、請求項１に記載の携帯用端末機の多方向スライド入力装置。
【請求項８】
前記可動操作部は、角部に面取部が形成され、全体的にみて八角形をなしている、請求項１に記載の携帯用端末機の多方向スライド入力装置。
【請求項９】
前記各固定接点は、前記キーパッドによるスライド操作時、可動操作部により加圧操作される、請求項１に記載の携帯用端末機の多方向スライド入力装置。
【請求項１０】
2011517833.tif 000007
【請求項１１】
2011517833.tif 000008
【請求項１２】
前記固定接点及び可動接点は、ドーム状の金属材からなる、請求項１に記載の携帯用端末機の多方向スライド入力装置。
【請求項１３】
前記固定接点及び可動接点は、金属材の板ばねからなる、請求項１に記載の携帯用端末機の多方向スライド入力装置。
【請求項１４】
前記固定接点及び可動接点は、圧力感知センサーからなる、請求項１に記載の携帯用端末機の多方向スライド入力装置。
【請求項１５】
前記べースの底面に取り付けられ、キーパッドによるスライド操作時にスライド移動し、前記ベースの固定接点と前記Ｙ軸移動ステージの可動接点とが同時に操作されないように形成したリングをさらに含む、請求項１に記載の携帯用端末機の多方向スライド入力装置。
【請求項１６】
前記各固定接点は、前記キーパッドによるスライド操作時、可動操作部がリングに接触することになり、前記リングは、ベースの固定接点に接触する、 請求項１５に記載の携帯用端末機の多方向スライド入力装置。
【請求項１７】
前記可動操作部は、角部に面取り部が形成され、全体的にみて八角形をなしており、リングの内側でスライド移動操作される、請求項１５に記載の携帯用端末機の多方向スライド入力装置。
【請求項１８】
前記リングは、その角部に面取り部を形成することによって八角形をなしている、請求項１５に記載の携帯用端末機の多方向スライド入力装置。
【請求項１９】
前記リングの内側には可動接点を加圧し得るように可動接点に対応する個数の内側突起が形成され、前記各面取り部の外側には固定接点を加圧し得るように固定接点に対応する個数の外側突起が形成される、請求項１５に記載の携帯用端末機の多方向スライド入力装置。
【発明の詳細な説明】
【技術分野】
【０００１】
本発明は、ゲーム機や携帯電話機などに適用し得る多方向スライド入力装置に関し、特にスライド操作により所定の信号が入力できる携帯用端末機の多方向スライド入力装置に関する。
【背景技術】
【０００２】
通常、端末機に取り付けられるベース及びケースなどに備えられている固定接点に対して可動接点を有するスライダーをスライド移動し、接点の接離を行うことによって、スイッチの作用、モード切替の作用、その他電気的作用を行うようにしたスライド入力装置は、様々なものがある。
【０００３】
しかし、既製のスライド入力装置の中で、スライダーを上下左右の４方向以上にスライド作動するようになっているスイッチの場合、部品点数が増加する。 特に、近頃、この種の入力装置はコンパクト化（例えば、入力装置のサイズは、横及び縦の長さ１５ｍｍ、厚さ３〜５ｍｍ程度）しつつあるため、スイッチの組み立て工程に手間がかかり、その分製造コストも高くなる。しかも、高精度の性能を発揮できないという問題がある。
【０００４】
特に、スイッチが小形化しているため、既製のものにはスペースなどの制約があり、スライダーをＸ軸、またはＹ軸の方向、即ち上・下・左・右の４方向へのスライド移動可能な手段しか提供していない場合が多い。
【０００５】
また、上下左右及び対角線の八方向へスライド移動可能な手段を提供する入力装置の場合、各八方向が独立的に接離する方式ではなく、各方向に対して少なくとも二つ以上の接離を組み合わせ、特定方向として認識するようにシステムを構成しなければならないという不都合があり、これにより入力信号の打ち間違いや誤りの心配が高いというのが実状である。
【０００６】
例えば、特許文献１では、Ｘ軸・Ｙ軸方向へのスライド移動可能なスライドスイッチを提案している。このスライドスイッチの場合、一つのスイッチに対する構造を有しているため、携帯用端末機の文字・数字及び各種機能を操作するためにはボタンの数を増やさなければならないが、前記特許文献１の場合、ボタンの数が一つ以上の場合には左右方向にチルト現象が生じたり、増加したキーボタンの支持構造をさらに追加して備えなければならないなど、携帯用端末機に適用するには前記した問題を解決しなければならない。
【０００７】
また、従来の特許文献１の場合、Ｘ軸・Ｙ軸方向へのスライド移動操作のためのスライド構造は、必ず三層の構造（スライダー＋スライディングチップ＋ベースガイド溝）からなっており、垂直操作のためのスイッチがスライド構造の上面に結合する積層構造となっているため、厚さをスリム化するのに妨害となり、厚さに制約が生じる携帯用端末機に適用するには不適である。
【０００８】
また、キーパッドを含むと、総じて４層の構造になるため、その高さによりスライド進行方向に対するチルト現象が発生する構造として、数万回の操作を行う携帯用端末機に適用すると、器具の耐久性に問題を起こす原因として作用する。したがって、チルト現象を抑制するためには、さらに薄い厚みと、改善されたスライド装置が必要となる。
【０００９】
一方、携帯用端末機が通話機能の他にも文字・数字及び各種機能をするに際して、使用者の指先で端末機のキーパッドを操作するが、従来の特許文献１の主な目的である、四つ以上の多方向（例えば、６、８、１２、１６方向など）に高精度にスライド移動可能な手段の提供は、携帯用端末機の使用目的に合わない。なぜならば、一般の使用者が、携帯用端末機を使用するにおいて、４〜８方向のスライド操作だけでも充分であり、指先を利用して正確な１２方向及び１６方向を区分することは難しく、非効率ともいえる。
【００１０】
むしろ、１２〜１６方向の入力装置は、文字及び数字を入力する場合において、打ち間違いの確率が高くなる短所として作用する。
【００１１】
また、他の従来技術、特許文献２の場合、別途の精巧なスライド移動のためのガイドを有しておらず、元位置への復元のための弾性手段のみを持っており、携帯用端末機において一つのキーを利用したジョイスティック機能に限られている。
【００１２】
また、接点の接離方式においては、従来の特許文献１及び特許文献２の場合、ベース上の固定接点はスライド移動方向に対して平行に形成され、その幅は可動接点の動きと信号入力の正確度を考慮したうえで適当なものがよく、これにより信号入力のためのスライド移動のストロークが長くなってしまう短所があったので、携帯用端末機の横・縦の長さが長くなる要因として作用する。
【００１３】
また、何れか一方の信号を出力するためには少なくとも２〜３個以上の固定接点を同時に接離しなければならないため、特定目的の機能を行うためのプログラムを開発するにもその組合せの過程により複雑で、かつ手間のかかる過程を通さなければならず、組み合わされた固定接点の複雑な信号を処理しなければならないため、入力信号の処理速度も比較的に遅くなる問題が発生する。
【００１４】
さらに、従来技術の特許文献３の場合、各八方向が独立的に操作されるという方式であるが、傾倒の操作時、半径が広く、携帯用端末機に適用するには高さとサイズが不適であるという短所がある。また、部品点数があまり増加し過ぎ、組立て工程とコスト増加とが負担になる。尚更、複数個のキーパッドが備わるような構造にはならない。
【先行技術文献】
【特許文献】
【００１５】
【特許文献１】韓国特許登録第０５８４４２８号公報
【特許文献２】韓国特許登録第０７４９１１７号公報
【特許文献３】韓国特許登録第０４７７７７５号公報
【発明の概要】
【発明が解決しようとする課題】
【００１６】
前記した問題点などを改善するために案出された本発明は、八方向へのスライド移動のためのベースと、Ｘ軸及びＹ軸方向のガイドとが垂直位相変異差が生じないように同じ平面上に位置するようにし、端末機の厚みを最小化すると共に四以上の方向がそれぞれ独立して接離することができ、スライド移動距離を最小化することができるようにする。
【課題を解決するための手段】
【００１７】
前記課題を解決するために、端末機に装着され、長方形の操作面を具備し、操作面の縁部には壁体が形成され、その内側に少なくとも四つ以上の固定接点が備えられるベースと、前記操作面に取り付けられ、水平方向に移動するように上側及び下側の壁体にＸ軸スライド部が突出形成され、前記壁体の左・右側には壁体内側にＹ軸移動ガイド部が突出形成されるＸ軸移動ステージと、少なくとも一つ以上のキー入力手段が取り付けられる取付面を具備し、前記取付面の縁部には壁体が形成され、前記Ｙ軸移動ガイド部に対応して組み合わされ、空間孔内で垂直方向に移動するように壁体にはＹ軸スライド部が形成され、前記壁体の外側にはキー入力手段につながっている複数の可動接点が備えられた可動操作部が離間して配置されるＹ軸移動ステージと、前記Ｙ軸移動ステージの取付面に取り付けられ、キーパッド接点が備えられた回路基板とを含む、携帯用端末機の多方向スライド入力装置が提供される。
【発明の効果】
【００１８】
本発明による多方向スライド移動装置は、次のような効果を奏する。第一に、ベースとＸ軸移動ステージ及びＹ軸移動ステージのスライド移動のための組み合わせが、垂直位相の変異差を生じないように同じ平面上に位置するように形成され、特定条件の角度と長さとから構成された八角形のベース内側と可動操作部及びリングによりベースの固定接点及び可動操作部の可動接点の独立的な操作が可能であるので、スライド移動のストロークを最小化することができると同時にスライド入力装置をさらにスリム化することができ、消費者の消費性向に合わせることができる。
【００１９】
第二に、四つ以上の方向の固定接点及び可動接点がそれぞれ独立的に操作されるので、使用者が要求する入力信号の正確度が高くなる。
【００２０】
第三に、既知のスライド入力装置が二つ以上のキーをスライド移動するためには不適という問題点を大幅に改善し、キーの個数がいくら多くても目的方向へのスライド移動時、回転方向の異常、チルト、捩れなどの現象を伴わずにとても軽快で、スムーズにスライド移動が可能となるようにすることができ、機器に対する信頼性が高くなると共に、耐久性の向上を期待できる。
【００２１】
最後に、全体的な厚みとサイズをスリムにしながら、文字・数字及び各種機能の操作を簡単に行えるようにするための様々な電気的作用を行うことができるように少なくとも一つ以上のボタンを備えたキーパッドが、中央を中心としてベース内で少なくとも四つ以上の方向へスライド移動することが可能となる。
【図面の簡単な説明】
【００２２】
【図１】本発明の一実施例による多方向スライド入力装置を備えた携帯用端末機を示した斜視図。
【図２】本発明の一実施例による多方向スライド入力装置を示した分解斜視図。
【図３】本発明の一実施例による多方向スライド入力装置の各構成部品が組み合わされた状態を示した斜視図。
【図４】図３の作動図として、ベース中心とＹ軸移動ステージの中心点が一致した状態の平面図。
【図５】図３の作動図として、図４の状態からＹ軸移動ステージを左上方向に移動した平面図。
【図６】図３の作用説明図として、図４の状態からＹ軸移動ステージを左側方向に移動した平面図。
【図７】図２によるベースの斜視図。
【図８】図２によるベースの背面図。
【図９】図２による全体の配線構造を示す斜視図。
【図１０】図２によるＸ軸移動ステージの斜視図。
【図１１】図２によるＹ軸移動ステージの斜視図。
【図１２】図２によるリングの斜視図。
【図１３】図２によるキーパッド接点及び可動接点のパタンを示した図面。
【図１４】図２によるキーパッド接点及び可動接点のパタンを示した図面。
【図１５】本実施例による多方向スライド入力装置の断面図。
【図１６】本実施例による多方向スライド入力装置の断面図。
【図１７】本実施例による多方向スライド入力装置を適用した端末機を示した斜視図。
【図１８】本実施例による多方向スライド入力装置を適用した端末機を示した斜視図。
【図１９】本実施例による多方向スライド入力装置を適用した端末機を示した斜視図。
【図２０】本実施例による多方向スライド入力装置を適用した端末機を示した斜視図。
【発明を実施するための形態】
【００２３】
以下、本発明の一実施例による多方向スライド入力装置を添付図面を参照して説明する。図１は、本実施例による多方向スライド入力装置が、携帯用端末機の中で最も一般の携帯電話機に設けられている状態を示したものである。
【００２４】
これによれば、本実施例の多方向スライド入力装置Ｋは、携帯用端末機Ｐの本体に固定して組み合わされ、携帯用端末機Ｐの文字・数字及び各種機能の操作のためのキー入力を行うためにＸ軸及びＹ軸方向に向けてスライド移動可能となるように構成される。
【００２５】
この際、少なくとも四つ以上の固定接点１３２と四つ以上の可動接点４２０が八角形のベース１００の内側と可動操作部３３０及びリング５００の構造により独立的な操作が可能となるように構成される。これに対しては、後で詳細に説明する。
【００２６】
一方、本実施例では、携帯用端末機の中で最も一般の携帯用電話機Ｐを一例にして説明及び図示したが、本実施例の多方向スライド入力装置Ｋは、電子辞典、ノート型パソコン、ＰＭＰ、リモコンなどのような携帯電話機の他にも様々に適用することができる。
【００２７】
本実施例による多方向スライド入力装置Ｋは、図２及び図３に詳しく示されている。これによれば、多方向スライド入力装置Ｋは、端末機本体（Ｐ、ここで端末機本体は図２に示したベースカバー７００と同じ意味として用いられる）に取り付けられるベース１００、ベース１００に組み合わされ、図において水平方向に移動するＸ軸移動ステージ２００、Ｘ軸移動ステージに組み合わされ、垂直方向に移動するＹ軸移動ステージ３００、Ｙ軸移動ステージ３００に収納される回路基板４００、回路基板の上側に接点固定されるキーパッド６００を含む。
【００２８】
ベース１００は、図２、図７及び図８に示すように、長方形の操作面１１０を具備し、操作面１１０の中央には四角形の空間孔１２０を有する。そして、操作面１１０の縁部には周囲を取り囲むように略四角形状の壁体１３０が上側に向けて垂直に設けられる。この際、壁体１３０の内側角部には固定接点１３２が配置されるように接点固定片１３１が内側に突出して形成され、これによって壁体１３０の内側面は八角形状になる。
【００２９】
各壁体１３０の接点固定片１３１の内側面には固定接点１３２が備わり、ベース１００の背面には固定接点１３２と電気的に連結され、入力信号を外部に伝送するように、固定接点端子１３３が設けられる。そして、各壁体１３０の略中央には固定接点１３２につながる配線を収納し得るための配線収納溝１３４が陥没して形成される。
【００３０】
空間孔１２０の四方、即ち、空間孔１２０と壁体１３０の間に形成された操作面１１０は、後述するリング５００とＹ軸移動ステージ３００の可動操作部３３０の自由なスライド移動が可能となるように充分な広さをもって設けられるが、この際、操作面１００の中で水平方向に互いに平行に配置された二つの操作面は、Ｘ軸移動ステージ２００のＸ軸方向への移動を案内するＸ軸移動ガイド部１４０の役割を果たすことになる。
【００３１】
即ち、操作面１１０の上側と下側にはリング５００と、可動操作部３３０がスライド移動可能な面と、Ｘ軸移動ガイド部１４０とが共に備えられ、右側と左側とにはリング５００と可動操作部３３０とがスライド移動可能な面のみに備えられる。
【００３２】
Ｘ軸移動ステージ２００は、図２及び図９に示したように長方形に構成され、ベース１００上でＸ軸方向にスライド移動するもので、その中央には四角形状の空間孔２１０が形成され、空間孔２１０を中心として上・下・左・右の縁部には周囲を取り囲むように上方に向けて壁体２２０が延設される。
【００３３】
この際、上側と下側とに位置した壁体には、Ｘ軸移動ガイド部１４０に取り付けられ、Ｘ軸移動ステージ２００がＸ軸方向に移動するように壁体２２０の外側上端部に互いに対向するようにしてＸ軸スライド部２４０が延設される。
【００３４】
2011517833.tif 000003
【００３５】
2011517833.tif 000004
【００３６】
一方、各壁体２２０には略四角形状で四つ以上のＹ軸移動ステージ３００の駆動部が遊動し得るための駆動部孔２２１が備えられる。
【００３７】
Ｙ軸移動ステージ３００は、図２及び図１１に示すように、上面に回路基板４００及びキーパッド６００が取り付けられるように四角形状の底面を有しており、底面の縁部には垂直に延長形成され、周囲を取り囲むように四角形状の壁体３１０が備えられる。この際、底面の一部分には少なくとも一つ以上のキー入力手段（図９参照）を収納することができ、適当なサイズのキー入力手段の配線手段３５０が形成される。
【００３８】
また、壁体３１０の中で左側及び右側に位置した壁体３１０にはＸ軸移動ステージ２００のＹ軸移動ガイド部２３０に取り付けられ、空間孔２１０内で垂直方向に移動するように外側に平行に一対のＹ軸スライド部３２０が延長形成される。
【００３９】
壁体３１０の外側には所定の間隔をおいて四角のリング状の可動操作部３３０が配置され、壁体３１０と可動操作部３３０は各辺の中央に形成された駆動部３４０により互いに一体形に連結される。したがって、壁体３１０と可動操作部３３０の間には駆動部３４０により区切られた四箇所の「Ｌ」字状の空間孔が形成される。
【００４０】
この際、Ｙ軸移動ステージ３００の各駆動部３４０は、Ｘ軸移動ステージ２００の駆動部孔２２１に挿入され、駆動部孔２２１は、Ｙ軸移動ステージ３００の作動による駆動部３４０との干渉を防止するために形成される。
【００４１】
可動操作部３３０の外側及び内側の角部にベース１００の接点固定片１３１の形状に対応するように面取り部３３１を形成することによって、可動操作部３３０は全体から見て八角形をなすことになる。
【００４２】
この際、可動操作部３３０の底面は、ベース１００の底面１１０に位置するが、リング５００のように底面１１０に接触せずに所定の高さで離隔するように構成することがスムーズなスライド操作のためには望ましい。そして、中央のキー入力手段の回路基板４００と軟性回路基板４３０とにつながっている、少なくとも四つ以上の複数の可動接点４２０が可動操作部３３０の外側に形成される。
【００４３】
2011517833.tif 000005
【００４４】
一方、本実施例では、信号入力のためにキーパッドの操作によるＹ軸移動ステージ３００のスライド移動後、元の位置に戻るように固定接点１３２及び可動接点４２０は、ドーム状の金属材から形成されるのが望ましい。
【００４５】
この際、固定接点及び可動接点は、ドーム状の金属材質の他に圧力感知センサー（圧電素子）から構成されていてもよく、この際にはＹ軸移動ステージを元の位置に復元させることができるように別途の弾性復元手段が必要となる。
【００４６】
図４乃至図６は、それぞれ本実施例によるＹ軸移動ステージの作動状態を示したものであり、図５及び図６はそれぞれ図４の状態からＹ軸移動ステージを右上方向と左側方向とに移動した平面図である。
【００４７】
これによれば、図５は、図２の状態からＹ軸移動ステージ３００を右上方向に移動した図面であって、ベース１００の固定接点１３２が押された状態であり、右上方向に移動した分だけ左側下端に移動した様態（Ｌ）を示している。
【００４８】
また、図６は、図２の状態からＹ軸移動ステージ３００を左側方向に移動した図面であって、Ｙ軸移動ステージ３００の可動操作部３３０の可動接点４２０が押された状態であり、右側方向に移動した分だけ右側に移動した様態（Ｌ）を示している。
【００４９】
2011517833.tif 000006
【００５０】
したがって、本実施例の多方向スライド入力装置は、従来の三層構造のスライド装置の積層問題を改善でき、これにより積層構造におけるスライド操作時に微細にチルトする現象を防止でき、端末機Ｐの耐久性の向上にも寄与することができる。
【００５１】
一方、本実施例の多方向スライド入力装置はリング５００を含むこともできる。リング５００は、図２及び図１３に示したように、ベース１００の操作面１１０に取り付けられ、キーパッド６００によるスライド操作時、ベース１００の固定接点１３２とＹ軸移動ステージ３００の可動操作部３３０の可動接点４２０とが同時に操作しないように八角形に形成される。
【００５２】
このとき、リング５００は、ベース１００の接点固定片１３１に対応するようにその角部に面取り部５１０が形成され、全体からみて八角形をなす。リング５００の内側には可動接点を加圧し得るように可動接点に対応する個数の内側突起５３０が形成され、各面取り部５１０の外側には固定接点を加圧し得るように固定接点に対応する個数の外側突起５２０が形成される。
【００５３】
一方、Ｙ軸移動ステージ３００の駆動部３４０に支持される八角形の可動操作部３３０及びリング５００は、使用者のキーパッド６００の操作による特定方向へのスライド移動時、該当方向のベース１００の固定接点１３２とＹ軸移動ステージ３００の可動接点４２０とが独立的に接離し得るように形成された構造である。
【００５４】
例えば、対角線でスライド移動する場合、可動操作部３３０の八角面中で対角線方向の角部外側と該当方向のリング５００の角部内側とが加圧されるとき（図１３のＬ２参照）、可動操作部３３０の八角面中で上下左右の側の外側面は、リング５００の上下左右の側の内側面に加圧されないように（Ｌ２）形成された二重操作防止構造からなっているためである（図１４参照）。即ち、使用者のキー６１０の押下操作を通じてキーパッド６００の突起に伝えられた力がキーパッド接点４１０を押圧し、信号を外部に伝達することになる（図１５）。そして、キー６１０を介して押下した後、スライド移動、又は 押圧せずにスライド移動をした場合にリング５００の突起５２０が可動操作部３３０の一側壁に加圧され、可動接点を押圧することになる（図１６）。
【００５５】
即ち、上下左右方向のスライド移動時には可動操作部３３０の八角面中で上下左右方向の外側と該当方向のリング５００の上下左右の内側とが加圧される時（図１４のＬ２参照）、リング５００の八角面中で対角線の外側面は、ベース１００の対角線の壁体１３０の内側面に加圧されないようにして（図１３のＬ１参照）、該当対角線方向の固定接点１３２が押されずに（Ｌ１）、操作方向の可動接点４２０だけが押されるように（Ｌ２）二重操作防止部が形成されている（図１３は、キーパッドを左上に操作した時の図であり、図１４は、キーパッドを上方に操作した時の図である）。
【００５６】
したがって、キーパッド６００の対角線への操作時には、二重操作防止部により可動接点４２０は押されずに（図１４のＬ２）専ら固定接点１３２だけが押され（Ｌ２）、上下左右への操作時には固定接点１３２は押されずに（図１５のＬ１）専ら可動接点４２０のみが押されることになる（Ｌ２）という効果がある。
【００５７】
特にそれぞれの接点１３２、４２０を同じ操作力（ｏｐｅｒａｔｉｎｇ ｆｏｒｃｅ）を有するメタルドームに形成する場合は、弾性復元機能まで期待でき、該当操作方向のメタルドームだけが押されながら、作動ストロークも最小に具現することができるという利点がある（図１４参照）。
【００５８】
なぜならば、どの方向に操作をしても加圧される方向のドームは、操作方向に対して垂直に一つが押されることになる反面、その両側面の二つのドームは斜めの角度になっているため、力が分散してしまい、実際の力よりさらに強い力で押さなければならないからである（例えば、図１４のθ１の値が小さくなるほど両側面のドームが押されるためにはさらに大きい力が必要とする。もちろん、図１４のθ１の値は１３５度であり、八角形の可動操作部とリングの内側角はいずれも同じく１３５度である）。
【００５９】
また、両側面のメタルドームは二つなので、二倍より強い力で押すと押される状況となり、弱い方のドーム（進行方向のドーム）がいつも先に押されることになる（本発明の一実施例では、メタルドーム接点を例にして説明しており、これは、図１３と図１４に示している）。
【００６０】
このような二重操作防止構造とメタルドームとにより作動に必要なスライド移動のストロークを極めて短く形成でき、携帯用端末機のコンパクト化にも寄与することができる（参考までに、一般のメタルドームは、その作動ストロークが略０．０６mm程度で、ストロークを大幅に削減でき、使用者に対して押下の触感を伝えるためにも有用な部品である）。
【００６１】
前記した本実施例の多方向スライド入力装置は、従来のスライド装置の場合、スライド作動接点の位置を全て操作キーの外周の同一半径内に設けることによって特定方向へのスライド移動操作時に目的とする方向以外の接点も押されてしまう、という問題を解決することができる。
【００６２】
すなわち、携帯用端末機Ｐは、通話機能の他にも文字・数字及び各種機能を行うための環境では、入力に対する正確度が非常に重要なことなので、本実施例の多方向スライド入力装置は、前記した問題点を改善するためにキーパッドの外周のベース１００に対角線信号接点１３２を配置し、可動操作部３３０に上・下・左・右の信号接点を配置し、二重接離が行われる虞を大幅に改善し、これにより複数個のスライドキーパッドにおいてでも安定的にかつ正確に操作することができる。
【００６３】
図１７乃至図２０は、それぞれ本実施例による多方向スライド入力装置が適用された例を示す。
【００６４】
図示の如く、端末機Ｐ１には四つのキーを利用した多方向スライド入力装置Ｋを示しており、端末機Ｐ２には両側に１０個ずつ多方向スライド入力装置Ｋが適用された例を示している。端末機Ｐ３とＰ４は、それぞれ一つのキーが適用された携帯端末機及びＰＭＰの例を示している。
【産業上の利用可能性】
【００６５】
前記したように構成された本発明による多方向スライド入力装置によれば、次のような効果がある。第一に、ベースとＸ軸移動ステージ及びＹ軸移動ステージとのスライド移動のための結合が、垂直位相の変異差がないように同じ平面上に位置するように形成され、特定条件の角度及び長さで構成された八角形のベース内側と可動操作部及びリングとによりベースの固定接点及び可動操作部の可動接点の独立的な操作が可能であり、スライド移動のストロークを最小化すると同時にスライド入力装置をさらにスリム化することができ、消費者の消費性向に相応することができる。
【００６６】
第二に、四つ以上の方向の固定接点及び可動接点がそれぞれ独自に操作されるので、入力信号の正確度が高くなる。
【００６７】
第三に、既知のスライド入力装置が二つ以上のキーをスライド移動するには不適であるという問題点を大幅に改善し、キーの個数が多い場合でも目的方向へのスライド移動時、回転方向の異常、チルト（ｔｉｌｔｉｎｇ）、捩れなどの現象を伴わずにとても軽快で、円滑にスライド移動を可能とすることができ、機器に対する信頼性が高くなると共に、耐久性の向上を期待できる。
【００６８】
最後に、全体的な厚みとサイズの点でスリム化が図れると共に、文字・数字及び各種機能の操作を簡単に行えるように様々な電気的作用をすることができるように少なくとも一つ以上のボタンを備えたキーパッドを、中央を中心としてベース内で少なくとも四つ以上の方向にスライド移動が可能となる。
【符号の説明】
【００６９】
１００  ベース
１１０  底面
１２０  空間孔
１３０  壁体
１３１  接点固定片
１３２  固定接点
１３３  固定接点端子
１３４  配線収納溝
１４０  Ｘ軸移動ガイド部
２００  Ｘ軸移動ステージ
２１０  空間孔
２２０  壁体
２３０  Ｙ軸移動ガイド部
２４０  Ｘ軸スライド部
３００  Ｙ軸移動ステージ
３１０  壁体
３２０  Ｙ軸移動スライド部
３３０  可動操作部
３４０  駆動部
３５０  配線出口
４００  回路基板
４１０  キーパッド接点
４２０  可動接点
４３０  軟性回路基板
５００  リング
５１０  面取り部
５２０  外側突起
５３０  内側突起
６００  キーパッド
６１０  キー
【図１】
2011517833.tif 000009
【図２】
2011517833.tif 000010
【図３】
2011517833.tif 000011
【図４】
2011517833.tif 000012
【図５】
2011517833.tif 000013
【図６】
2011517833.tif 000014
【図７】
2011517833.tif 000015
【図８】
2011517833.tif 000016
【図９】
2011517833.tif 000017
【図１０】
2011517833.tif 000018
【図１１】
2011517833.tif 000019
【図１２】
2011517833.tif 000020
【図１３】
2011517833.tif 000021
【図１４】
2011517833.tif 000022
【図１５】
2011517833.tif 000023
【図１６】
2011517833.tif 000024
【図１７】
2011517833.tif 000025
【図１８】
2011517833.tif 000026
【図１９】
2011517833.tif 000027
【図２０】
2011517833.tif 000028
【国際調査報告】
2011517833.tif 000029
2011517833.tif 000030
2011517833.tif 000031
2011517833.tif 000032